(57)【要約】【課題】部品追加が不要であり、かつ簡易な保持構造で電源プラグを保持するようにした換気扇を提供することを目的としている。【解決手段】前面に吸込口となる開口部を有した風洞および前記開口部から半径方向に広がるフランジを備えた本体と、羽根車および電動機を有し、前記電動機が前記風洞に取り付けられた送風機と、前記本体の吸込口の反対面である前記フランジの背面に位置し、一端が前記電動機、他端が電源プラグに接続された電源コードと、前記フランジの背面に前記電源プラグを保持する保持構造を設けたものである。【選択図】図２
2014006025.tif 000002
【特許請求の範囲】
【請求項１】
前面に吸込口となる開口部を有した風洞および前記開口部から半径方向に広がるフランジを備えた本体と、
羽根車および電動機を有し、前記電動機が前記風洞に取り付けられた送風機と、
前記本体の吸込口の反対面である前記フランジの背面に位置し、一端が前記電動機、他端が電源プラグに接続された電源コードと、
前記フランジの背面に前記電源プラグを保持する保持構造を設けた
ことを特徴とする換気扇。
【請求項２】
前記保持構造は、
前記フランジの背面から背面側に突出した突起部を有し、前記突起部で前記電源プラグを保持する
ことを特徴とする請求項１に記載の換気扇。
【請求項３】
前記保持構造は、
前記フランジの背面に前記電源プラグの金属の刃が背面側に突き出した形で保持できる突起部を有する
ことを特徴とする請求項２に記載の換気扇。
【請求項４】
前記保持構造は、
前記電源プラグが前記フランジの背面に対して傾いて取り付かないための傾き抑制の第１リブを有する
ことを特徴とする請求項３に記載の換気扇。
【請求項５】
前記第１リブは、
前記電源プラグと前記電源コードの接続部と、前記フランジの背面との間にできる空間を埋め、前記電源プラグの傾きを抑制している
ことを特徴とする請求項４に記載の換気扇。
【請求項６】
前記保持構造は、
前記電源プラグを前記フランジの背面に取り付けた際に、回転しないように電源プラグの側面に沿った形の第２リブを有する
ことを特徴とする請求項３〜５のいずれか一項に記載の換気扇。
【請求項７】
前記保持構造は、
前記電源プラグを前記フランジの背面に取り付けた際に、前記フランジに対しての垂直かつ平行な動きを抑制する第３リブを有する
ことを特徴とする請求項３〜６のいずれか一項に記載の換気扇。
【請求項８】
前記保持構造は、
前記電源プラグを前記保持構造に保持させる際、前記電源コードが弛まない位置に設けられている
ことを特徴とする請求項１〜７のいずれか一項に記載の換気扇。
【請求項９】
前記電源プラグを前記保持構造に保持させる際、前記電源コードが弛まないように、前記フランジ背面にコード巻き取り構造を設けた
ことを特徴とする請求項１〜７のいずれか一項に記載の換気扇。
【発明の詳細な説明】
【技術分野】
【０００１】
本発明は、電源プラグの保持機能を備えた換気扇に関するものである。
【背景技術】
【０００２】
電動機を風洞に取り付けた本体の前面に、吸込口となる開口部を有し半径方向に広がるフランジを備え、一端が前記電動機、他端が電源プラグに接続された電源コードがフランジの背面に位置する換気扇が一般に存在している。換気扇は壁または天井等に孔を設け、孔にパイプを挿着し、パイプに本体を差し込んで取り付けられ、電源コードと電源プラグを前面の壁または天井面に引き出す施工が一般的である（例えば特許文献１参照）。換気扇においては、電源コードの保持する作業性を改善するものがある（例えば特許文献２参照）。
【先行技術文献】
【特許文献】
【０００３】
【特許文献１】特許第２５７３７１０号公報（例えば２〜３ページ参照）
【特許文献２】特開２０００−１２１１１８号公報（例えば２ページ参照）
【発明の概要】
【発明が解決しようとする課題】
【０００４】
上記この種の従来の換気扇においては、電源コードの保持は行われているが、電源コードに接続された電源プラグの保持は行われていない。電源プラグは一般的に金属製の刃を有しているため、換気扇輸送時において、梱包状態での振動や落下により刃が換気扇の一部に接触し、換気扇を傷つける懸念がある。そのため換気扇の組み立て時に、振動による電源プラグの移動を懸念して前記電源プラグに袋を被せたり、テープ等による固定を施したり、確実に傷付く部分に前記電源プラグの金属性の刃が当たらないような組み立て上の配慮、管理が必要となる。
【０００５】
本発明は、以上のような課題を解決するためになされたもので、部品追加が不要であり、かつ簡易な保持構造で電源プラグを保持するようにした換気扇を提供することを目的としている。
【課題を解決するための手段】
【０００６】
本発明に係る換気扇は、前面に吸込口となる開口部を有した風洞および開口部から半径方向に広がるフランジを備えた本体と、羽根車および電動機を有し、電動機が風洞に取り付けられた送風機と、本体の吸込口の反対面であるフランジの背面に位置し、一端が電動機、他端が電源プラグに接続された電源コードと、フランジの背面に電源プラグを保持する保持構造を設けたものである。
【発明の効果】
【０００７】
本発明は上記手段を採用することにより、電源プラグをフランジの背面に保持できるため、換気扇の組み立て時に電源プラグの金属製の刃の位置が定まる。よって、電源プラグに袋を被せたり、テープ等による固定を施したりする部品を追加する必要がなくなる。また、確実に傷付く部分に電源プラグの金属製の刃が当たらないような、組み立て上の配慮、管理が軽減され、組み立て性のばらつきに強い構造という効果がある。
【図面の簡単な説明】
【０００８】
【図１】本発明の実施の形態に係る換気扇の取り付け状態を示した断面図である。
【図２】本発明の実施の形態に係る換気扇の背面図である。
【図３】本発明の実施の形態に係る換気扇の斜視図である。
【図４】本発明の実施の形態に係る換気扇の電源プラグ保持構造の拡大斜視図である。
【図５】本発明の実施の形態に係る換気扇の電源プラグ保持構造の電源プラグ取り付け状態図である。
【図６】本発明の実施の形態に係る換気扇の電源プラグ保持構造の電源プラグ取り付け状態断面図である。
【図７】本発明の実施の形態に係る換気扇の電源コード巻き取り棒を備えた本実施の形態の換気扇の背面図である。
【発明を実施するための形態】
【０００９】
実施の形態．
図１は、本発明の実施の形態に係る換気扇の取り付け状態を示した断面図、図２は、本発明の実施の形態に係る換気扇の背面図、図３は、本発明の実施の形態に係る換気扇の斜視図、図５は、本発明の実施の形態に係る換気扇の電源プラグ保持構造の電源プラグ取り付け状態図である。
本発明の実施の形態に係る換気扇は、風洞を構成し、前面に吸込口となる開口部４を有した本体１と、羽根車２および電動機３を有し、電動機３が前記風洞に取り付けられた送風機とを主体として構成されている。当該換気扇の取り付けは、建物に設けられたダクト配管３１に本体１を差し込んで、板バネ３３の拡開弾力によって行われる。あるいは、本体１の各長孔７を通して、取り付け部品を木枠３２に固定して行われる。また、前面はグリル３４で覆われている。本体１の前面には、開口部４から半径方向に広がるフランジ５を備えている。フランジ５は、自由端側が後方に向かって延出する縁枠部６によって背面が凹状に形成されている。また、前面には開口部を有している。縁枠部６には図２に示すように長孔７を有する取り付け構造８が対向位置に２つ設けられ、その各長孔７はフランジ５の前面に形成された取り付け孔（図示省略）に繋がっている。
電源プラグ９は電源コード１０を介して電動機３と繋がっており、フランジ５の背面に位置している。電源プラグ９は胴部９ａ、金属製の刃９ｂ、側面突起部９ｃ、側面上部９ｄ、側面隅部９ｅを備えている。
【００１０】
図４は、本発明の実施の形態に係る換気扇の電源プラグ保持構造の拡大斜視図である。フランジ５の背面には、当該換気扇の電源に供される電源プラグ９を保持する保持構造１１が構成されている。保持構造１１は、リブ１１ａ、１１ｂ、１１ｄ、１１ｅおよび突起部１１ｃを有している。リブ１１ａは、突起部１１ｃを有しており、フランジ５の背面とで電源プラグ９を挟み込むことによって、電源プラグ９のフランジ５に対して垂直かつ平行な動きを抑制している。リブ１１ｂは、電源プラグ９の側面隅部９ｅに沿った形状であり、リブ１１ｄとともに、電源プラグ９の回転する動きを抑制している。突起部１１ｃは、電源プラグ９の側面突起部９ｃに沿った形状であり、リブ１１ａの一部を構成している。リブ１１ｄは、電源プラグ９の側面上部９ｄに沿った形状であり、リブ１１ｂとともに、電源プラグ９の回転する動きを抑制している。リブ１１ｅは、電源コード１０の根本部１０ａとフランジ５の背面との間の空間を埋め、電源コード１０または根本部１０ａにフランジ５の背面側からフランジ５の正面方向に向かって力が加わった場合に、電源プラグ９のフランジ５に対して垂直方向の傾きを抑制している。リブ１１ｅは、本発明の「第１リブ」に相当し、リブ１１ｂおよびリブ１１ｄは、本発明の「第２リブ」に相当し、リブ１１ａは、本発明の「第３リブ」に相当する。
【００１１】
以上により、電源プラグ９をフランジ５の背面の所定の位置に固定することができるため、電源プラグ９を保護するために袋に被せたり、テープ等による固定を施したりする部品を追加する必要がなくなる。また、確実に傷付く部分に電源プラグ９の金属製の刃９ｂが当たらないような、組み立て上の配慮、管理が軽減され、組み立て性のばらつきに強い構造を得ることができる。
【００１２】
保持構造１１のリブ１１ａにより電源プラグ９のフランジ５に対して垂直かつ平行な動き、リブ１１ｂとリブ１１ｄにより電源プラグ９の回転する動き、突起部１１ｃとリブ１１ｅにより電源プラグ９のフランジ５に対して垂直方向の傾きをそれぞれ抑制することで、電源プラグ９の金属製の２本の刃９ｂをフランジ５の背面側に突き出して固定できる。これにより、換気扇の組み立て時の電気検査において、フランジ５の背面側である電源プラグ９の真上から検査治具を降ろすことで容易に検査が可能となる。よって、電気検査設備へ電源プラグ９を移動させずに検査でき、本体１の外部に電源プラグ９を差し込む設備が必要なくコスト低減ができる。また、組み立てを終了させた後に電気検査を行い、そのあと追加の組み立て作業をする必要ないため、梱包，出荷の工程へと移行できるメリットがある。
【００１３】
図６は、本発明の実施の形態に係る換気扇の電源プラグ保持構造の電源プラグ取り付け状態断面図である。
電源プラグ９を保持構造１１から取り外す場合においては、電源プラグ９の金属製の刃９ｂを保持構造１１の突起部１１ｃから金属製の刃９ｂに向かった方向１２に傾けることにより、突起部１１ｃが変形し、突起部１１ｃから電源プラグ９の胴部９ａが解放される。これにより、電源プラグ９を保持構造１１から取り外すことができる。
【００１４】
図７は、本発明の実施の形態に係る換気扇の電源コード巻き取り棒を備えた本実施の形態の換気扇の背面図である。
保持構造１１は、電源プラグを保持した際に電源コード１０が弛まない位置に設けることにより、換気扇の検査時等に電源コード１０が邪魔になるのを回避できる。あるいは、電源プラグを保持した際に電源コード１０が弛みそうな際は、フランジ５の背面に図７のコード巻き取り部１３を設けて電源コードを巻き付けることにより、電源コード１０の弛みを除いて換気扇の検査時等に電源コード１０が邪魔になるのを回避できる。
【符号の説明】
【００１５】
１  本体、２  羽根車、３  電動機、４  開口部、５  フランジ、６  縁枠部、７  長孔、８  取り付け構造、９  電源プラグ、９ａ  胴部、９ｂ  金属製の刃、９ｃ  側面突起部、９ｄ  側面上部、９ｅ  側面隅部、１０  電源コード、１０ａ  根元部、１１  保持構造、１１ａ  リブ、１１ｂ  リブ、１１ｃ  突起部、１１ｄ  リブ、１１ｅ  リブ、１２  突起部１１ｃから金属製の刃９ｂに向かった方向、１３  コード巻き取り部、３１  ダクト配管、３２  木枠、３３  板バネ、３４  グリル。
【図１】
2014006025.tif 000003
【図２】
2014006025.tif 000004
【図３】
2014006025.tif 000005
【図４】
2014006025.tif 000006
【図５】
2014006025.tif 000007
【図６】
2014006025.tif 000008
【図７】
2014006025.tif 000009